【手続補正書】
【提出日】平成27年10月28日(2015.10.28)
【手続補正１】
【補正対象書類名】明細書
【補正対象項目名】００３２
【補正方法】変更
【補正の内容】
【００３２】
図５は、収納ユニット１の動きとともにカバー２．９．１、２．９．２を動かす機構の例示的な実施形態を示す。第１のカバー２．９．１には脚部２．１２がカップリングされ、未使用のニードル・アセンブリ１．１が第１のポート２．６に隣接しているとき、その未使用のニードル・アセンブリ１．１用のニードル・ハブ１．１．１および／または取付けスリーブ１．３に当接するように適合される。収納ユニット１が前進し、取付けスリーブ１．３が第１のポート２．６と位置合わせされると、脚部２．１２は前進している収納ユニット１と同じ方向に押し込まれ、それによって、図５に示すように、第１のカバー２．９．１を変位させて第１のポート２．６を見せる。
【手続補正２】
【補正対象書類名】明細書
【補正対象項目名】００３４
【補正方法】変更
【補正の内容】
【００３４】
図６Ｂに示すように、収納ユニット１が前進するとき、次の未使用のニードル・アセンブリ１．１用のニードル・ハブ１．１．１および／または取付けスリーブ１．３は、脚部２．１２に当接して脚部２．１２を押し込み、同時に脚部２．１２は、カバー２．９．１、２．９．２を変位させて第１のポート２．６を見せる。カバー２．９．１、２．９．２が変位されると、ばね２．１７、２．１８は圧縮される。
【手続補正３】
【補正対象書類名】明細書
【補正対象項目名】００３７
【補正方法】変更
【補正の内容】
【００３７】
図６Ｄに示すように、第１のカバー２．９．１を動かすことで第２のポート２．７を露出させ、注射デバイス３を第１のポート２．６から取り外すことで、第１の制御アーム２．１５が非偏向位置へ戻ることが可能になる。注射デバイス３’が第２のポート２．７内へ挿入されて使用済みのニードル・アセンブリ１．１’を係合解除するとき、注射デバイス３は、第２の制御アーム２．１６にカップリングされた第２の制御要素２．１４（図５に示す）に係合することができる。第２の制御要素２．１４は、第２のポート２．７内に形成された空間内に位置する突出部とすることができる。注射デバイス３が第２の制御要素２．１４に係合するとき、第２の制御要素２．１４は、空間内で変位される。第２の制御要素２．１４の変位により、第２の制御アーム２．１６は偏向して第２のフック２．１６．１を第２の突起２．９．２．１から係合解除し、第２のカバー２．９．２はチャネル２．８内で第２のばね２．１８の力を受けて第２の区間２．８．２の方へ戻ることが可能になる。注射デバイス３を第２のポート２．７から取り外すことで、第２の制御アーム２．１６が非偏向位置に戻ることが可能になる。
【手続補正４】
【補正対象書類名】特許請求の範囲
【補正対象項目名】全文
【補正方法】変更
【補正の内容】
【特許請求の範囲】
【請求項１】
第１のポート（２．６）および第２のポート（２．７）を有するケース（２．１）と；
該ケース（２．１）内に回転可能に配置され、ニードル・アセンブリの収納ユニット（１）を支持するように適合された第１のスプール（１．７．１）と；
該ケース（２．１）内に回転可能に配置され、該ニードル・アセンブリの該収納ユニット（１）を支持するように適合された第２のスプール（１．７．２）と；
該第１のスプール（１．７．１）または該第２のスプール（１．７．２）を回転させ、該第１のポート（２．６）および該第２のポート（２．７）を越えて該収納ユニット（１）を前進させるように適合されたアクチュエータ（２．３）と：
を備えるニードル・アセンブリ収納デバイス（２）。
【請求項２】
ケース（２．１）内で第１のポート（２．６）に隣接して配置された分離器（２．４）をさらに備え、該分離器（２．４）は、ニードル・アセンブリを取り囲む容器（１．５）を分離するように適合される：
請求項１に記載のニードル・アセンブリ収納デバイス（２）。
【請求項３】
ケース（２．１）内で第２のポート（２．７）に隣接して配置された少なくとも１つのローラ（２．５）をさらに備え、該少なくとも１つのローラ（２．５）は、容器（１．５）内でニードル・アセンブリを再び巻き取るように適合される：
請求項２に記載のニードル・アセンブリ収納デバイス（２）。
【請求項４】
ケース（２．１）内で第１のポート（２．６）に隣接して配置されたスリーブ止め具（２．１０）をさらに備え、該スリーブ止め具（２．１０）は、ニードル・アセンブリのうちの所与の１つが第１のポート（２．６）と位置合わせされたときに該ニードル・アセンブリのうちの所与の１つに解放可能に係合するように適合される：
請求項１〜３のいずれか１項に記載のニードル・アセンブリ収納デバイス（２）。
【請求項５】
ケース（２．１）内で第１のポート（２．６）に隣接して配置されたニードル止め具（２．１１）をさらに備え、該ニードル止め具（２．１１）は、ニードル・アセンブリのうちの所与の１つが第１のポート（２．６）と位置合わせされたときに該ニードル・アセンブリのうちの所与の１つに係合するように適合される：
請求項１〜４のいずれか１項に記載のニードル・アセンブリ収納デバイス（２）。
【請求項６】
第１のポート（２．６）および第２のポート（２．７）を選択的に覆うように適合された第１のカバー（２．９．１）および第２のカバー（２．９．２）をさらに備える：
請求項１〜５のいずれか１項に記載のニードル・アセンブリ収納デバイス（２）。
【請求項７】
第１のカバー（２．９．１）は、ニードル・アセンブリのうちの所与の１つが第１のポート（２．６）と位置合わせされる前に該ニードル・アセンブリのうちの所与の１つに係合するように適合された脚部（２．１２）を含む、請求項６に記載のニードル・アセンブリ収納デバイス（２）。
【請求項８】
ケース（２．１）に対するニードル・アセンブリのうちの所与の１つの動きにより、該ニードル・アセンブリのうちの所与の１つは、脚部（２．１２）および第１のカバー（２．９．１）を押して第１のポート（２．６）を露出させる、請求項７に記載のニードル・アセンブリ収納デバイス（２）。
【請求項９】
第１のカバー（２．９．１）に付勢力を印加するように適合された第１のばね（２．１７）と；
第２のカバー（２．９．２）に付勢力を印加するように適合された第２のばね（２．１８）と
をさらに備える：請求項６に記載のニードル・アセンブリ収納デバイス（２）。
【請求項１０】
第１のカバー（２．９．１）上の第１の突起（２．９．１．１）に解放可能に係合するように適合された第１のフック（２．１５．１）、および第１のポート（２．６）に隣接して配置され、注射デバイス（３）に係合するように適合された第１の制御要素（２．１３）を含む、ケース（２．１）にカップリングされた第１の弾性制御アーム（２．１５）と；
第２のカバー（２．９．２）上の第２の突起（２．９．２．１）に解放可能に係合するように適合された第２のフック（２．１６．１）、および第２のポート（２．７）に隣接して配置され、注射デバイス（３）に係合するように適合された第２の制御要素（２．１４）を含む、ケース（２．１）にカップリングされた第２の弾性制御アーム（２．１６）と：
をさらに備える、請求項６に記載のニードル・アセンブリ収納デバイス（２）。
【請求項１１】
注射デバイス（３）が第１の制御要素（２．１３）に係合するとき、第１の制御アーム（２．１５）は偏向し、第１のフック（２．１５．１）は第１の突起（２．９．１．１）を係合解除し、第１のカバー（２．９．１）は、第１のばね（２．１７）の付勢力を受けてケース（２．１）に対して変位されて第１のポート（２．６）を覆う、請求項９または１０に記載のニードル・アセンブリ収納デバイス（２）。
【請求項１２】
注射デバイス（３）が第２の制御要素（２．１４）に係合するとき、第２の制御アーム（２．１６）は偏向し、第２のフック（２．１６．１）は第２の突起（２．９．２．１）を係合解除し、第２のカバー（２．９．２）は、第２のばね（２．１８）の付勢力を受けてケース（２．１）に対して変位されて第２のポート（２．７）を覆う、請求項９または１０に記載のニードル・アセンブリ収納デバイス（２）。
【請求項１３】
少なくとも１つの弾性クリップ（１．３．３）を有する取付けスリーブ（１．３）と；
該少なくとも１つの弾性クリップ（１．３．３）に係合するように適合されたニードル・ハブ（１．１．１）を有する針（１．１．２）と；
該ニードル・ハブ（１．１．１）を該取付けスリーブ（１．３）に取り外し可能にカップリングさせる少なくとも１つのウェブ（１．３．１）と：
を備える、請求項１〜１２のいずれか１項に記載のニードル・アセンブリ収納デバイス（２）とともに使用するためのニードル・アセンブリ用の収納ユニット（１）。
【請求項１４】
ニードル・ハブ（１．１．１）は、針（１．１．２）が取付けスリーブ（１．３）に対して遠位方向に動くときには弾性クリップ（１．３．３）を偏向させ、針（１．１．２）が取付けスリーブ（１．３）に対して近位方向に動くときには該弾性クリップ（１．３．３）に当接するように適合された部分（１．１．１．１）を含む、請求項１３に記載の収納ユニット（１）。
【請求項１５】
取付けスリーブ（１．３）のアレイを含み、連続する取付けスリーブ（１．３）は、可撓性カプラ（１．４）によってカップリングされる、請求項１３に記載の収納ユニット（１）。